(57)【要約】【課題】長期間の設置に好適でデザイン性に優れるパネル取付構造を提供する。【解決手段】筐体(11)は、円弧状の開口部(11d)とその近傍に取り付けられた第１のマグネット(17)とを有する係合部(KM)を備える。パネル(2)は、開口部(11d)の縁部(11d1)に係合可能なＬ字状の爪部(22)とそれに取り付けられた第２のマグネット(24)とを有し、爪部(22)を開口部(11d)に進入させた第１の位置と爪部(22)が縁部(11d1)に係合した取り付け位置としての第２の位置と、の間で回動可能とされ、第１のマグネット(17)及び第２のマグネット(24)は、第１のマグネット(17)の磁極と第２のマグネット(24)の磁極とが、パネル(2)の第２の位置から第１の位置へ向かう回動を妨げる磁気反発力を生じる向きに取り付けられている。【選択図】図８
2019161471.tif 000002
【特許請求の範囲】
【請求項１】
筐体にパネルを着脱自在に取り付けるパネル取付構造であって、
前記筐体は、円弧状の開口部と、前記開口部の近傍に取り付けられた第１のマグネットと、を有する係合部を備え、
前記パネルは、前記開口部の縁部に係合可能なＬ字状の爪部と、前記爪部に取り付けられた第２のマグネットと、を有し、前記爪部を前記開口部に進入させた第１の位置と、爪部が前記縁部に係合した第２の位置と、の間で回動可能とされ、
前記第１のマグネット及び前記第２のマグネットは、前記第１のマグネットの磁極と前記第２のマグネットの磁極とが、前記パネルの前記第２の位置から前記第１の位置へ向かう回動を妨げる磁気反発力を生じる向きに取り付けられていることを特徴とするパネル取付構造。
【請求項２】
前記第１のマグネットは、前記第２のマグネットに対し、前記パネルが前記第１の位置にあるときに最も接近する位置にあることを特徴とする請求項１記載のパネル取付構造。
【請求項３】
前記第１のマグネットは、前記第２のマグネットに対し、前記パネルが前記第１の位置と前記第２の位置との間にあるときに最も接近する位置にあることを特徴とする請求項１記載のパネル取付構造。
【請求項４】
請求項１〜３のいずれか１項に記載のパネル取付構造を備え、
前記筐体は、取り付けた前記パネルが下方となる姿勢で天井板に取り付けられる天井取付器具。
【請求項５】
請求項１〜３のいずれか１項に記載のパネル取付構造を備え、
前記筐体は、内部にスピーカユニットを収容し、取り付けた前記パネルが下方となる姿勢で天井板に取り付けられ、
前記パネルは、前記スピーカユニットからの出音を通過させる音孔を有する天井取付スピーカ装置。
【発明の詳細な説明】
【技術分野】
【０００１】
本発明は、パネル取付構造，天井取付器具，及び天井取付スピーカ装置に係る。
【背景技術】
【０００２】
パネルをベース部に取り付けるためのパネル取付構造において、パネルに鉤状の突出爪を設けると共にベース部にその突出爪を受け入れる受容孔を設け、パネルを、突出爪を受容孔に進入させた状態で回動することでベース部に取り付ける構造が知られている。
特許文献１には、パネルとしての化粧カバーを、ベース部としてのバッフル板に取り付けるパネル取付構造を備えた天井取付器具としての音響装置が記載されている。
【先行技術文献】
【特許文献】
【０００３】
【特許文献１】特開２００５−１４３９００号公報
【発明の概要】
【発明が解決しようとする課題】
【０００４】
例えば天井取付器具では、パネルを取り付けた後、地震などの振動でパネルが外れず、メンテナンス等ではパネルを外せるようにしておく必要がある。
そこで、特許文献１に記載されたパネル取付構造では、パネルの取り付け状態において係止爪が弾性係止部を押し、その弾性係止部の弾性反発力で係止爪を付勢して係止爪の係止解除を防ぐようになっている。
【０００５】
しかしながら、弾性を有する弾性係止部は樹脂で形成するのが一般的であり、天井取付器具自体は長期間設置される。そのため、特許文献１に記載された音響装置のように弾性変形部の変形状態を常態とする構造では、長期間の使用で弾性反発力が低下するなどの、係止爪の維持に影響するような物性劣化が生じることが懸念される。
【０００６】
また、物性劣化の影響を受けないように、ベース部に、パネルの回動を許容する取り外し位置とその回動を非変形で禁止するロック位置との間を移動可能なロック部材と、そのロック部材の２つの位置を指や棒などにより外部から切り換えるための孔と、を設けてロック機能を付与した取付構造も検討される。
しかしながら、この構造では、ベース部に外部から視認可能な孔を設けるため、デザイン性を考慮した用途には不向きであるという点で改善の余地があった。
【０００７】
そこで、本発明が解決しようとする課題は、長期間の設置に好適でデザイン性に優れるパネル取付構造，天井取付器具，及び天井取付スピーカ装置を提供することにある。
【課題を解決するための手段】
【０００８】
上記の課題を解決するために、本発明は次の構成を有する。
１）筐体にパネルを着脱自在に取り付けるパネル取付構造であって、
前記筐体は、円弧状の開口部と、前記開口部の近傍に取り付けられた第１のマグネットと、を有する係合部を備え、
前記パネルは、前記開口部の縁部に係合可能なＬ字状の爪部と、前記爪部に取り付けられた第２のマグネットと、を有し、前記爪部を前記開口部に進入させた第１の位置と、爪部が前記縁部に係合した第２の位置と、の間で回動可能とされ、
前記第１のマグネット及び前記第２のマグネットは、前記第１のマグネットの磁極と前記第２のマグネットの磁極とが、前記パネルの前記第２の位置から前記第１の位置へ向かう回動を妨げる磁気反発力を生じる向きに取り付けられていることを特徴とするパネル取付構造である。
２）１）項に記載のパネル取付構造を備え、前記筐体が、取り付けた前記パネルが下方となる姿勢で天井板に取り付けられる天井取付器具である。
３）１）項に記載のパネル取付構造を備え、前記筐体は、内部にスピーカユニットを収容し、取り付けた前記パネルが下方となる姿勢で天井板に取り付けられ、
前記パネルは、前記スピーカユニットからの出音を通過させる音孔を有する天井取付スピーカ装置である。
【発明の効果】
【０００９】
本発明によれば、長期間の設置に好適でデザイン性に優れる、という効果が得られる。
【図面の簡単な説明】
【００１０】
【図１】図１は、本発明の実施の形態に係る天井取付スピーカ装置の実施例１であるスピーカ装置５１を天井に取り付けた状態で示す部分断面図である。
【図２】図２は、スピーカ装置５１に含まれる本体部１の下面図である。
【図３】図３は、本体部１が備えるマグネットを有する係合部ＫＭを示す図２におけるＳ３−Ｓ３位置での断面図である。
【図４】図４は、スピーカ装置５１に含まれるパネル２の上面図である。
【図５】図５は、パネル２の側面図である。
【図６】図６は、パネル２が備えるマグネット爪部２２を示す図４におけるＳ６−Ｓ６位置での断面図である。
【図７】図７は、本体部１の係合部ＫＭに対するパネル２のマグネット爪部２２の係合動作を説明するための第１の断面図である。
【図８】図８は、本体部１の係合部ＫＭに対するパネル２のマグネット爪部２２の係合動作を説明するための第２の断面図である。
【図９】図９は、本体部１の係合部ＫＭに対するパネル２のマグネット爪部２２の係合動作を説明するための第３の断面図である。
【図１０】図１０は、本発明の実施の形態に係る天井取付スピーカ装置の実施例２であるスピーカ装置５２を天井に取り付けた状態で示す部分断面図である。
【図１１】図１１は、スピーカ装置５２に含まれる本体部３の下面図である。
【図１２】図１２は、本体部３が備えるマグネットを有する係合部ＫＭ２を示す図１１におけるＳ１２−Ｓ１２位置での断面図である。
【図１３】図１３は、スピーカ装置５２に含まれるパネル４の上面図である。
【図１４】図１４は、パネル４の側面図である。
【図１５】図１５は、パネル４が備えるマグネット爪部４２を示す図１３におけるＳ１５−Ｓ１５位置での断面図である。
【図１６】図１６は、本体部３の係合部ＫＭ２に対するパネル４のマグネット爪部４２の係合動作を説明するための第１の断面図である。
【図１７】図１７は、本体部３の係合部ＫＭ２に対するパネル４のマグネット爪部４２の係合動作を説明するための第２の断面図である。
【図１８】図１８は、本体部３の係合部ＫＭ２に対するパネル４のマグネット爪部４２の係合動作を説明するための第３の断面図である。
【発明を実施するための形態】
【００１１】
本発明の実施の形態に係る天井取付器具を、実施例１のスピーカ装置５１及び実施例２のスピーカ装置５２により説明する。
【００１２】
（実施例１）
実施例１のスピーカ装置５１は、天井取付スピーカ装置である。
図１は、スピーカ装置５１を、天井板９１の取付孔９１ａに取り付けた状態を示す部分断面図である。スピーカ装置５１の上下方向は図１に矢印で示される。
【００１３】
スピーカ装置５１は、取付孔９１ａに取り付けられる本体部１と、本体部１の下部に着脱自在に取り付けられるパネル２と、を含み構成されている。
本体部１は、筒状の筐体１１と、筐体１１の上端開口を塞ぐ蓋１２と、筐体１１の下端から下方に出音するように内部に収容されたスピーカユニット１３と、を有する。
筐体１１は、筒状の胴部１１ａと胴部１１ａの下端部に径方向外方に張り出したフランジ部１１ｂとを有する。
【００１４】
スピーカユニット１３に接続されたリード線は基板部１４により中継されて端子部１５に接続されている。そして、端子部１５と外部の音声出力装置（アンプなど）とが接続されて、館内放送などの音声が筐体１１の下端から下方に出音される。
【００１５】
筐体１１の外面部には、スピーカ装置５１を天井板９１に固定するための固定用ブラケット１６が複数箇所設けられている。
【００１６】
スピーカ装置５１は、固定用ブラケット１６を取付孔９１ａと干渉しない位置に回動させておいた状態で下方から取付孔９１ａに挿入する。次いで、固定用ブラケット１６を取付孔９１ａと干渉する位置に回動して、ねじなどの締め付けで天井板９１を固定用ブラケット１６の一部とフランジ部１１ｂとの間で挟む。これによりスピーカ装置５１は天井板９１に固定される。
従って、フランジ部１１ｂの下面１１ｂ１及び胴部１１ａの下端面１１ａ１は、天井板９１の下側から視認可能である。
スピーカ装置５１において、筐体１１の下端面１１ａ１にパネル２が取り付けられる。
【００１７】
図２は、本体部１を下方から見た平面図である。
筐体１１の下端面１１ａ１には、周方向に離隔して複数の係合部Ｋが設けられている。
図２に示される例において、係合部Ｋは３つ設けられ、下端面１１ａ１の周方向に概ね等角度（例えば１２０°）間隔に配置されている。また、複数の係合部Ｋの内、少なくとも１つはマグネットを有する係合部ＫＭとされている。
【００１８】
図３は、係合部ＫＭを示す図２におけるＳ３−Ｓ３位置での断面図である。
図２及び図３に示されるように、係合部ＫＭは、円弧状に延びる開口部である係合孔１１ｄと、係合孔１１ｄの周方向の一方端部に形成され上方に開放した箱状のポケット部１１ｆと、ポケット部１１ｆに収容装着されたマグネット１７と、を有する。
マグネット１７は、係合孔１１ｄの周方向に着磁されており、この例では、係合孔１１ｄ側がＮ極で反対側がＳ極とされている。
【００１９】
図４はパネル２の上面図であり、図５は図４のパネル２を矢視Ｙ１側から見た側面図である。
パネル２は、円板状を呈し、中央部分にスピーカユニット１３からの出音を通過させる音孔２１ａが形成された基部２１を有する。
基部２１の周縁側には、筐体１１の係合部Ｋに対応した位置に爪部２３が形成されている。爪部２３のうちの少なくとも一つは、マグネットを有する係合部ＫＭに対応した位置に設けられた、後述するパネルマグネット２４を有するマグネット爪部２２とされている。
【００２０】
図６は、マグネット爪部２２を説明するための、図４におけるＳ６−Ｓ６位置での断面図である。
マグネット爪部２２は、パネル２の基部２１から上方に立設する柱部２６と、柱部２６の先端から、基部２１と平行な円弧状に延びる係合腕部２５と、を有する。
柱部２６には箱状のポケット部２５ｆが形成され、ポケット部２５ｆにはパネルマグネット２４が収容装着されている。
係合腕部２５の下面２５ａの先端部は、先端ほど薄肉となるよう斜めにカットされたガイド部２５ｃとされている。
柱部２６及び係合腕部２５は、筐体１１の係合孔１１ｄに進入可能な形状及びサイズで形成されている。
爪部２３は、マグネット爪部２２からポケット部２５ｆを除いた形状とされている。
【００２１】
パネルマグネット２４は、パネル２の周方向に着磁されており、この例では、係合腕部２５側がＳ極で反対側がＮ極とされている。
【００２２】
上述のパネル２は、作業者の押し込み動作と、その後の回動動作とにより、図７〜図９に示されるようにして本体部１に取り付けられる。
図７〜図９は、係合部ＫＭに対するマグネット爪部２２の係合動作を説明する断面図である。係合部Ｋに対する爪部２３の係合動作も、パネルマグネット２４がない点以外は、係合部ＫＭに対するマグネット爪部２２の係合動作と同じである。
【００２３】
まず、予め図１に示されるように、スピーカ装置５１を天井板９１に取り付けておく。
そして、図７に示されるように、パネル２を胴部１１ａの下端面１１ａ１の下方に、平行に位置させる。その際、パネル２を、パネル２の爪部２３及びマグネット爪部２２と、本体部１の係合部Ｋ及び係合部ＫＭとがそれぞれ対向する周方向の位置とする。
【００２４】
次に、作業者は、図７の矢印ＤＲ１の方向にパネル２を押し上げて、柱部２６及び係合腕部２５を、係合孔１１ｄ内に進入させる。この係合腕部２５が係合孔１１ｄ内に出入り可能となる位置を、第１の位置と称する。
図８に示されるように、胴部１１ａの下端面１１ａ１にパネル２の基部２１の上面２１ｂがほぼ当接する位置まで押し上げたら、作業者は、パネル２を、図９の矢印ＤＲ２の方向、すなわち、下方から見て時計まわりに所定位置まで回動させる。この所定位置を第２の位置と称する。
【００２５】
これにより、パネル２は、筐体１１に対し、係合腕部２５の下面２５ａと基部２１の上面２１ｂとの間に係合孔１１ｄの縁部である支持部１１ｄ１を挟みこんで係合する。この挟み込みは、下面２５ａの先端に、誘いとなる傾斜面のガイド部２５ｃを設けてあるので、良好に行える。
所定位置は、例えば、支持部１１ｄ１の先端が柱部２６に当接する位置とする。
【００２６】
このパネル２の取り付け動作における初期の押し上げ動作で、パネルマグネット２４は、マグネット１７に対し同極（この例ではＮ極）同士が斜めに向かい合う位置で接近する。そのため、押し上げ動作は磁気反発力による抵抗を受ける。
また、その磁気反発力は、パネル２が下端面１１ａ１に近づく程大きくなる。
一方、反発力の方向は、押し上げ動作の初期においては、パネル２の押し上げに抗するほぼ下方であるが、その反発力に抗して係合腕部２５を係合孔１１ｄ内に進入させるに伴い、水平回動方向に徐々に偏向する。
すなわち、マグネット１７とパネルマグネット２４との間の磁気反発力に抗してパネル２の押し上げ動作を完了させれば、次に行うパネル２の回動動作は、磁気反発力に従う方向となって磁気反発力が加勢するので容易となる。
【００２７】
また、所定の位置に達したマグネット爪部２２は、マグネット１７とパネルマグネット２４とが同極同士が対向する配置にあるので、それらが接近するパネル２の回動を阻止する方向に磁気反発力を受ける。
すなわち、マグネット爪部２２の、第２の位置から係合孔１１ｄより外れる第１の位置への移動が磁気反発力によって阻止されるので、パネル２は、本体部１から外れにくくなっている。
また、パネル２の外れにくさは、磁気反発力によってもたらされる。そのため、スピーカ装置５１を長期間設置してもパネル２の外れにくさは変わらない。
【００２８】
このように、パネル２は、筐体１１に対して機械的にロックされるものではない。作業者が磁気反発力を超える力を意図的に付与してパネル２を下方から見て反時計回り方向に回動させれば、マグネット爪部２２を係合孔１１ｄから抜去できる位置に移動でき、パネル２を取り外すことができる。
従って、スピーカ装置５１において、外部からパネル２のロックを解除する孔は不要で、パネル２は音孔２１ａ以外の孔を開けずに形成でき、デザイン性に優れる。
【００２９】
（実施例２）
実施例２のスピーカ装置５２は、天井取付スピーカ装置である。
図１０は、スピーカ装置５２を、天井板９１の取付孔９１ａに取り付けた状態を示す部分断面図である。スピーカ装置５２の上下方向は図１０に矢印で示される。
スピーカ装置５２は、実施例１のスピーカ装置５１に対し、マグネット１７及びパネルマグネット２４の収容装着構造が異なり、他の構造は共通である。
【００３０】
具体的には、図１に示されるスピーカ装置５１における本体部１、筐体１１、胴部１１ａ、下端面１１ａ１、フランジ部１１ｂ、下面１１ｂ１、係合孔１１ｄ，１１ｅ、支持部１１ｄ１、及びポケット部１１ｆは、図１０に示されるスピーカ装置５２において、それぞれ筐体３１、胴部３１ａ、下端面３１ａ１、フランジ部３１ｂ、下面３１ｂ１、係合孔３１ｄ，３１ｅ、支持部３１ｄ１、及びポケット部３１ｆに対応する。
また、スピーカ装置５１における蓋１２、スピーカユニット１３、基板部１４、端子部１５、固定用ブラケット１６、及びマグネット１７は、図１０に示されるスピーカ装置５２において、それぞれ蓋３２、スピーカユニット３３、基板部３４、端子部３５、固定用ブラケット３６、及びマグネット３７に対応する。
また、スピーカ装置５１におけるパネル２、基部２１、音孔２１ａ、マグネット爪部２２、爪部２３、パネルマグネット２４、係合腕部２５、下面２５ａ、上面２１ｂ、ガイド部２５ｃ、ポケット部２５ｆ、及び柱部２６は、図１０に示されるスピーカ装置５２において、それぞれパネル４、基部４１、音孔４１ａ、マグネット爪部４２、爪部４３、パネルマグネット４４、係合腕部４５、下面４５ａ、ガイド部４５ｃ、ポケット部４５ｆ、及び柱部４６に対応する。
【００３１】
図１１は、本体部３を下方から見た平面図である。
筐体３１の下端面３１ａ１には、周方向に離隔して複数の係合部Ｋ２が設けられている。
図１１に示される例において、係合部Ｋ２は３つ設けられ、下端面３１ａ１の周方向に概ね等角度（例えば１２０°）間隔に配置されている。また、複数の係合部Ｋ２の内、少なくとも１つはマグネットを有する係合部ＫＭ２とされている。
【００３２】
図１２は、係合部ＫＭ２を示す図１１におけるＳ１２−Ｓ１２位置での断面図である。
図１１及び図１２に示されるように、係合部ＫＭ２は、円弧状に延びる開口である係合孔３１ｄと、係合孔３１ｄの上壁部に形成され上方に開放した箱状のポケット部３１ｆと、ポケット部３１ｆに収容装着されたマグネット３７と、を有する。
マグネット３７は、スピーカ装置５２の上下方向に着磁されており、この例では、下方側がＮ極で上方側がＳ極とされている。
【００３３】
図１３は、パネル４の上面図であり、図１４は図１３のパネル４を矢視Ｙ２側から見た側面図である。
パネル４は、円板状を呈し、中央部分にスピーカユニット３３からの出音を通過させる音孔４１ａが形成された基部４１を有する。
基部４１の周縁側には、筐体３１の係合部Ｋ２に対応した位置に爪部４３が形成されている。爪部４３のうちの少なくとも一つは、マグネットを有する係合部ＫＭ２に対応した位置に設けられた、後述するパネルマグネット４４を有するマグネット爪部４２とされている。
【００３４】
図１５は、マグネット爪部４２を説明するための、図１３におけるＳ１５−Ｓ１５位置での断面図である。
マグネット爪部４２は、パネル４の基部４１から上方に立設する柱部４６と、柱部４６の先端から、基部４１と平行な円弧状に延びる係合腕部４５と、を有する。
係合腕部４５の円弧状に延びる長手方向の中央部には、上方に突出する箱状のポケット部４５ｆが形成され、ポケット部４５ｆにはパネルマグネット４４が収容装着されている。
係合腕部４５の下面４５ａの先端部は、先端ほど薄肉となるよう斜めにカットされたガイド部４５ｃとされている。
柱部４６及び係合腕部４５は、筐体３１の係合孔３１ｄに進入可能な形状及びサイズで形成されている。
爪部４３は、マグネット爪部４２からポケット部４５ｆを除いた形状とされている。
【００３５】
パネルマグネット４４は、スピーカ装置５２の上下方向に着磁されており、この例では、上側がＮ極で下側がＳ極とされている。
【００３６】
上述のパネル４は、作業者の押し込み動作と、その後の回動動作とにより、図１６〜図１８に示されるようにして本体部３に取り付けられる。
図１６〜図１８は、係合部ＫＭ２に対するマグネット爪部４２の係合動作を説明する断面図である。係合部Ｋ２に対する爪部４３の係合動作も、パネルマグネット４４がない点以外は係合部ＫＭ２に対するマグネット爪部４２の係合動作と同じである。
【００３７】
まず、予め図１０に示されるように、スピーカ装置５２を天井板９１に取り付けておく。
そして、図１６に示されるように、パネル４を胴部３１ａの下端面３１ａ１の下方に、平行に位置させる。その際、パネル４を、パネル４の爪部４３及びマグネット爪部４２と、本体部の係合部Ｋ２及び係合部ＫＭ２とがそれぞれ対向する周方向の位置とする。
【００３８】
次に、作業者は、図１６の矢印ＤＲ３の方向にパネル４を押し上げて、柱部４６及び係合腕部４５を、係合孔３１ｄ内に進入させる。この係合腕部４５が係合孔３１ｄ内に出入り可能となる位置を、第１の位置と称する。
図１７に示されるように、胴部３１ａの下端面３１ａ１にパネル４の基部４１の上面がほぼ当接する位置まで押し上げたら、作業者は、パネル４を図１８の矢印ＤＲ４の方向、すなわち、下方から見て時計まわりに所定位置まで回動させる。この所定位置を第２の位置と称する。
【００３９】
これにより、パネル４は、筐体３１に対し、係合腕部４５の下面４５ａと基部４１の上面４１ｂとの間に係合孔３１ｄの縁部である支持部３１ｄ１を挟み込んで係合する。この挟み込みは、下面４５ａの先端に、誘いとなる傾斜面のガイド部４５ｃを設けてあるので、良好に行える。
所定位置は、例えば、支持部３１ｄ１の先端が柱部４６に当接する位置とする。
【００４０】
このパネル４の取り付け動作における初期の押し上げ動作で、パネルマグネット４４は、マグネット３７に対し同極（この例ではＮ極）同士が斜めに向かい合う位置で接近する。そのため、押し上げ動作は磁気反発力による抵抗を受ける。
また、その磁気反発力は、パネル４が下端面３１ａ１に近づく程大きくなる。
一方、磁気反発力の方向は、押し上げ動作の初期においては、パネル４の押し上げに抗する下方であるが、その反発力に抗して係合腕部４５を係合孔３１ｄ内に進入させるに伴い、押し上げ動作後の回動方向とは反対の斜め下方向に偏向する。
【００４１】
そして、パネル４が下端面３１ａ１にほぼ当接する位置に達してから矢印ＤＲ４方向に回動させると、回動に伴いマグネット３７とパネルマグネット４４との間のマグネット間距離が小さくなって磁気反発力が大きくなる一方、反発力の方向は下方に偏向する。
マグネット間距離が最小となって、磁気反発力が最大かつ方向が下方になった後は、同極対向による磁気反発力は徐々に減少するものの、磁気反発力の方向は下方から徐々に回動方向に偏向して回動が加勢される。
そのため、作業者の回動動作は、回動途中で磁気反発力による回動抵抗のピークを感じた後に抵抗力は減少し、容易となる。
【００４２】
すなわち、マグネット３７とパネルマグネット４４との間の磁気反発力に抗してパネル４の押し上げ動作を完了させ、次の回動動作の途中でマグネット３７の直下をパネルマグネット４４が通過した後は、磁気反発力は、回動動作を加勢する方向に偏向するので回動動作が容易となる。また、作業者は、パネル４が所定の位置に取り付けられた感触が得られる。
【００４３】
また、所定の位置に達したマグネット爪部４２は、外部振動などによってマグネット爪部４２が係合孔３１ｄから離脱可能な位置への回動を阻止する磁気反発力を常に受ける。
これにより、パネル４は、本体部３から外れにくくなっている。
また、パネル４の外れにくさは磁気反発力によってもたらされる。そのため、スピーカ装置５２を長期間設置してもパネル４の外れにくさは変わらない。
【００４４】
このように、パネル４は、筐体３１に対して機械的にロックされるものではない。作業者が磁気反発力を超える力を意図的に付与してパネル４を下方から見て反時計回り方向に回動させれば、マグネット爪部４２を係合孔３１ｄから抜去できる位置に移動でき、パネル４を取り外すことができる。
従って、スピーカ装置５２において、外部からパネル４のロックを解除する孔は不要で、パネル４は音孔４１ａ以外の孔を開けずに形成でき、デザイン性に優れる。
【００４５】
以上詳述したように、天井取付器具としてのスピーカ装置５１，５２は、パネルマグネット２４，４４をそれぞれ備えている。そして、スピーカ装置５１，５２は、所定の係合位置（第２の位置）にあるマグネット爪部２２，４２を係合孔１１ｄ，３１ｄから離脱可能な離脱位置（第１の位置）へ回動させようとした際に、マグネット爪部２２，４２に対しその回動を阻止する方向に磁気反発力を作用させるマグネット１７，３７を備えている。
このように、スピーカ装置５１，５２は、パネル２，４のロックを磁気反発力によって行うようになっている。そのため、スピーカ装置５１，５２を長期間設置しても、パネル２，４が回動して本体部１，３から外れる虞がなく、メンテナンス等でパネル２，４を外す際の、パネル２，４のロックを解除するための孔を設ける必要がないので、デザイン性に優れる。
【００４６】
以上詳述した実施例は、上述の構成に限定されるものではなく、本発明の要旨を逸脱しない範囲において変形した変形例としてもよい。
【００４７】
マグネット１７及びパネルマグネット２４の着磁態様は、上述の態様に限定されるものではない。
スピーカ装置５１において、マグネット１７及びパネルマグネット２４の着磁方向を上下方向に同相となるよう配置した変形例１としてもよい。
すなわち、マグネット１７及びパネルマグネット２４を、例えば上側をＮ極、下側をＳ極となるよう配置する。
これにより、変形例１においてマグネット１７とパネルマグネット２４とは接近するほど反発力が強くなり、実施例１のスピーカ装置５１と同様の効果が得られる。
また、スピーカ装置５２において、マグネット３７及びパネルマグネット４４の着磁方向を左右方向で逆相となるよう配置してもよい。
すなわち、図１２において、マグネット３７の左側をＳ極、右側をＮ極とし、かつ図１５において、パネルマグネット４４の左側をＮ極、右側をＳ極とした変形例２としてもよい。
これにより、変形例２においてマグネット３７とパネルマグネット４４とは接近するほど反発力が強くなり、実施例２のスピーカ装置５２と同様の効果が得られる。
【００４８】
本体部１，３側のマグネットとパネル側に取り付けられたパネルマグネットとの配置位置の関係は、実施例１のスピーカ装置５１における周方向、実施例２のスピーカ装置５２における上下方向、に限定されない。例えば、径方向であってもよく、径方向及び上下方向にずれた斜め方向であってもよい。
【００４９】
天井取付器具は、天井取付スピーカ装置に限定されない。例えば、ダウンライトなどの天井取付照明装置、監視カメラなどの天井取付撮像装置、天井取付空調装置などでもよい。
係合部Ｋの数は限定されない。また、係合部Ｋの内のマグネットを有する係合部ＫＭの数も限定されない。係合部Ｋのすべてをマグネットを有する係合部ＫＭとしてもよい。
【００５０】
パネルは、化粧カバーとしての機能を有するものに限定されない。天井取付器具が照明装置の場合は、例えば、光源の保護機能、並びに、光の拡散及び集光などの光束調整機能のいずれかを有するものであってもよい。天井取付器具が空調装置におけるエアの吹き出し装置の場合は、例えば、風力及び風向調整機能、並びに、芳香付加機能のいずれかを有するものであってもよい。
パネルの外観態様も限定されない。円板状、枠状、箱状、など種々の態様が摘要できる。
【符号の説明】
【００５１】
１，３  本体部
１１，３１  筐体、    １１ａ，３１ａ  胴部
１１ａ１、３１ａ１  下端面、    １１ｂ，３１ｂ  フランジ部
１１ｂ１  下面、    １１ｄ，３１ｄ  係合孔（開口部）
１１ｄ１，３１ｄ１  支持部（縁部）、    １１ｆ，３１ｆ  ポケット部
１２，３２  蓋、    １３，３３  スピーカユニット
１４，３４  基板部、    １５，３５  端子部
１６，３６  固定用ブラケット
１７，３７  マグネット（第１のマグネット）
２，４  パネル
２１，４１  基部、    ２１ａ，４１ａ  音孔、    ２１ｂ，４１ｂ  上面
２２，４２  マグネット爪部、    ２３，４３  爪部
２４，４４  パネルマグネット（第２のマグネット）
２５，４５  係合腕部、    ２５ａ，４５ａ  下面
２５ｃ，４５ｃ  ガイド部、    ２５ｆ，４５ｆ  ポケット部
２６，４６  柱部
５１，５２  スピーカ装置（天井取付器具）
９１  天井板、    ９１ａ  取付孔
ＫＭ，ＫＭ２  （マグネットを有する）係合部、    Ｋ，Ｋ２  係合部
【図１】
2019161471.tif 000003
【図２】
2019161471.tif 000004
【図３】
2019161471.tif 000005
【図４】
2019161471.tif 000006
【図５】
2019161471.tif 000007
【図６】
2019161471.tif 000008
【図７】
2019161471.tif 000009
【図８】
2019161471.tif 000010
【図９】
2019161471.tif 000011
【図１０】
2019161471.tif 000012
【図１１】
2019161471.tif 000013
【図１２】
2019161471.tif 000014
【図１３】
2019161471.tif 000015
【図１４】
2019161471.tif 000016
【図１５】
2019161471.tif 000017
【図１６】
2019161471.tif 000018
【図１７】
2019161471.tif 000019
【図１８】
2019161471.tif 000020